(57)【要約】【課題】  装置の電源投入直後において、光量変動があり、光を照射する光源が十分に立ち上がっておらず一定レベルの光量に達していないような状況下でも、読み取った画像の品質を落とし難く、原稿の読取を開始する時間を短縮可能な画像読取装置および画像形成装置を提供する。【解決手段】  γ補正部１２４では、点灯時間カウンタ１０５のカウンタ値ｔとＲＯＭ１０２から読み出された光量補正テーブルを基に、冷陰極管８２の点灯開始からｔだけ経過したときの出力光量Ｌ（％）が決定される。出力光量Ｌが決定されると、γ補正部１２４では、決定された出力光量Ｌと補正値Ｒを算出する数式２の関数とを基に、ＲＯＭ１０２から読み出されたγ補正テーブルが変換され、変換されたγ補正テーブルにて、原稿の読み取りを開始し、γ補正が行われる。【選択図】          図１６
2007214829.tif 000002
【特許請求の範囲】
【請求項１】
原稿に光を照射する光照射手段と、前記光を照射された原稿からの反射光量をアナログ信号に変換する光電変換手段と、前記変換されたアナログ信号をデジタル信号にＡ／Ｄ変換するＡ／Ｄ変換手段と、を備えた画像読取装置において、
前記光照射手段を立ち上げてからの経過時間を計時する計時手段と、
前記計時された経過時間に基づいて前記光照射手段によって原稿に照射される光の光量を算出する光量算出手段と、
前記光量算出手段によって算出された光量および前記Ａ／Ｄ変換されたデジタル信号に基づいて、前記デジタル信号の補正値を算出する補正値算出手段と、
前記補正値算出手段によって算出された補正値によって前記デジタル信号を補正するγ補正手段と、
を備えたことを特徴とする画像読取装置。
【請求項２】
前記光量算出手段は、前記経過時間と前記光量とを対応させた光量補正テーブルを有し、
前記補正値算出手段は、前記デジタル信号と前記補正値とを対応させたγ補正テーブルを有することを特徴とする請求項１に記載の画像読取装置。
【請求項３】
前記γ補正テーブルは、温度によって異なることを特徴とする請求項２に記載の画像読取装置。
【請求項４】
前記補正値算出手段は、前記光量および前記デジタル信号の値によって前記補正値を決定する関数を有し、前記関数によって前記γ補正テーブルの補正値を変換することを特徴とする請求項２または３に記載の画像読取装置。
【請求項５】
前記光量算出手段は、前記経過時間によって前記光量を決定する関数であり、
前記補正値算出手段は、前記関数および前記デジタル信号の値によって前記補正値を決定する関数であることを特徴とする請求項１に記載の画像読取装置。
【請求項６】
前記経過時間が通常待機時間に達する前に原稿への光の照射を開始する起動時読取動作を設定する起動時読取設定手段をさらに備えたことを特徴とする請求項１乃至５のいずれかに記載の画像読取装置。
【請求項７】
前記通常待機時間を設定する待機時間設定手段をさらに備えたことを特徴とする請求項６に記載の画像読取装置。
【請求項８】
原稿に光を照射する光照射手段と、前記光を照射された原稿からの反射光量をアナログ信号に変換する光電変換手段と、前記変換されたアナログ信号をデジタル信号にＡ／Ｄ変換するＡ／Ｄ変換手段と、を備えた画像形成装置において、
前記光照射手段を立ち上げてからの経過時間を計時する計時手段と、
前記計時された経過時間に基づいて前記光照射手段によって原稿に照射される光の光量を算出する光量算出手段と、
前記光量算出手段によって算出された光量および前記Ａ／Ｄ変換されたデジタル信号に基づいて、前記デジタル信号の補正値を算出する補正値算出手段と、
前記補正値算出手段によって算出された補正値によって前記デジタル信号を補正するγ補正手段と、
前記補正されたデジタル信号に基づいて画像を形成する画像形成手段と、
を備えたことを特徴とする画像形成装置。
【発明の詳細な説明】
【技術分野】
【０００１】
本発明は、原稿の画像を読み取ることのできる画像読取装置、および当該画像読取装置を備えたレーザプリンタなどの画像形成装置に関する。
【背景技術】
【０００２】
原稿に光を照射し、原稿からの反射光量から画像を読み取ってコピーすることのできる画像形成装置において、原稿に照射される光の光量が低い場合であっても、高画質な画像をコピーすることができる画像形成装置が知られている。
【０００３】
たとえば、装置の電源投入後、原稿に光を照射する蛍光灯の光量が安定すると原稿読み取りを開始し、自動原稿フィード装置によって大量の原稿を読み取る際の光量低下を吸収するために、次の原稿を読み取る前に光量補正する技術が開示されている（特許文献１）。
【０００４】
上記特許文献１に記載の画像読み取り装置では、蛍光灯の光量が、最低画像保証レベル以上であれば、ゲイン／シェーディング補正動作を行うことで、光量変動分の補正を行い、蛍光灯の光量が、最低画像保証レベル以下の場合には、ゲイン／シェーディング補正のみを行えば読み取り画質が劣化するので、ゲイン／シェーディング補正の前にランプ光量自体を補正して画質劣化を防止するようにした画像読み取り装置が開示されている。
【０００５】
【特許文献１】特開平１１−０４６２８９号公報
【発明の開示】
【発明が解決しようとする課題】
【０００６】
しかしながら、上記特許文献１において、装置の電源投入直後は蛍光灯の光量を調整するのみであり、光量が安定する前に原稿の画像を読み取ることはなされていなかった。したがって、蛍光灯の光量が安定する（最大出力となる）まで画像の読取を開始することができず、ユーザを待たせてしまう、という問題があった。
【０００７】
そこで、本発明は、このような問題に鑑みなされたものであって、装置の電源投入直後において、光量変動があり、光を照射する光源が十分に立ち上がっておらず一定レベルの光量に達していないような状況下でも、読み取った画像の品質を落とし難く、原稿の読取を開始する時間を短縮可能な画像読取装置および画像形成装置を提供することを目的とする。
【課題を解決するための手段】
【０００８】
前記目的を達成するために、請求項１に記載の画像読取装置では、原稿に光を照射する光照射手段と、光を照射された原稿からの反射光量をアナログ信号に変換する光電変換手段と、変換されたアナログ信号をデジタル信号にＡ／Ｄ変換するＡ／Ｄ変換手段と、を備えた画像読取装置において、光照射手段を立ち上げてからの経過時間を計時する計時手段と、計時された経過時間に基づいて光照射手段によって原稿に照射される光の光量を算出する光量算出手段と、光量算出手段によって算出された光量およびＡ／Ｄ変換されたデジタル信号に基づいて、デジタル信号の補正値を算出する補正値算出手段と、補正値算出手段によって算出された補正値によってデジタル信号を補正するγ補正手段と、を備えたことを特徴とする。
【０００９】
請求項２に記載の画像読取装置では、光量算出手段は、経過時間と光量とを対応させた光量補正テーブルを有し、補正値算出手段は、デジタル信号と補正値とを対応させたγ補正テーブルを有することを特徴とする。
【００１０】
請求項３に記載の画像読取装置では、γ補正テーブルは、温度によって異なることを特徴とする。
【００１１】
請求項４に記載の画像読取装置では、補正値算出手段は、光量およびデジタル信号の値によって補正値を決定する関数を有し、関数によってγ補正テーブルの補正値を変換することを特徴とする。
【００１２】
請求項５に記載の画像読取装置では、光量算出手段は、経過時間によって光量を決定する関数であり、補正値算出手段は、関数およびデジタル信号の値によって補正値を決定する関数であることを特徴とする。
【００１３】
請求項６に記載の画像読取装置では、経過時間が通常待機時間に達する前に原稿への光の照射を開始する起動時読取動作を設定する起動時読取設定手段をさらに備えたことを特徴とする。
【００１４】
請求項７に記載の画像読取装置では、通常待機時間を設定する待機時間設定手段をさらに備えたことを特徴とする。
【００１５】
請求項８に記載の画像形成装置では、原稿に光を照射する光照射手段と、光を照射された原稿からの反射光量をアナログ信号に変換する光電変換手段と、変換されたアナログ信号をデジタル信号にＡ／Ｄ変換するＡ／Ｄ変換手段と、を備えた画像形成装置において、光照射手段を立ち上げてからの経過時間を計時する計時手段と、計時された経過時間に基づいて光照射手段によって原稿に照射される光の光量を算出する光量算出手段と、光量算出手段によって算出された光量およびＡ／Ｄ変換されたデジタル信号に基づいて、デジタル信号の補正値を算出する補正値算出手段と、補正値算出手段によって算出された補正値によってデジタル信号を補正するγ補正手段と、補正されたデジタル信号に基づいて画像を形成する画像形成手段と、を備えたことを特徴とする。
【発明の効果】
【００１６】
請求項１の画像読取装置によれば、装置の電源投入直後において、光量変動があり、また、光照射手段が十分に立ち上がっておらず一定レベルの光量に達していないような状況下でも、読み取った画像の品質を落とし難く、光照射手段による原稿への光の照射を開始する時間を短縮ことができる。
【００１７】
請求項２の画像読取装置によれば、より精度よく補正を行うことができ、読み取った画像の品質を落とし難く、光照射手段による原稿への光の照射を開始する時間を短縮ことができる。
【００１８】
請求項３の画像読取装置によれば、装置周囲の温度変化にも対応することができ、より精度よく補正を行うことができる。
【００１９】
請求項４の画像読取装置によれば、光量が変化しても１つのγ補正テーブルの各デジタル信号に対する補正値を変換すれば良いので、このγ補正テーブルを記憶するメモリの容量を抑えることができる。
【００２０】
請求項５の画像読取装置によれば、光量補正テーブルやγ補正テーブルを所定のメモリに記憶する必要がないので、このメモリの容量を抑えることができる。
【００２１】
請求項６の画像読取装置によれば、装置の電源投入直後において、光量変動があり、また、光照射手段が十分に立ち上がっておらず一定レベルの光量に達していないような状況下でも、読み取った画像の品質を落とし難く、光照射手段による原稿への光の照射を開始する時間を短縮ことができる。また、起動時読取動作を設定しなければ、光量が一定レベルに達するまで通常の読取動作を待機させることができる。
【００２２】
請求項７の画像読取装置によれば、待機時間を設定可能にすれば、ユーザの好みに応じて通常の読取動作時に最低限補償される画質を変動させることができるので、待機時間を長く設定すれば、高品質の通常の読取動作を補償することができ、待機時間を短く設定すれば、通常の読取動作を開始させる時間も短縮することができる。
【００２３】
請求項８の画像形成装置によれば、装置の電源投入直後において、光量変動があり、また、光照射手段が十分に立ち上がっておらず一定レベルの光量に達していないような状況下でも、読み取った画像の品質を落とし難く、光照射手段による原稿への光の照射を開始する時間や画像形成を開始する時間を短縮ことができる。
【発明を実施するための最良の形態】
【００２４】
〔第１実施形態〕
（全体構成）
以下、図１〜図５を用いて本発明の第１の実施形態に係るプリンタ機能、スキャナ機能、コピー機能等を備えた複合機１（本発明の「画像形成装置」の一例）の全体構成について説明する。図１はその外観を示す斜視図である。また、図２は、原稿読取装置３を開けた状態を示す複合機１の斜視図である。図３は、複合機１を給紙ローラ２５等の軸方向から見た要部側断面図である。図４は、原稿読取装置３の縦断面構造の模式図である。図５は、図４に示す方向から見たＣＣＤユニット１８の内部構成の概略を示す模式図である。なお、以下の説明では、複合機１について、操作キー１３が設けられた面側（図１で紙面右下方向）を「前方」、その反対側（図１で紙面左上方向）を「後方」とする。
【００２５】
この複合機１は、フィーダ部２１及び画像形成部２２等（図３参照）を内蔵する画像形成ユニット２（本発明の「画像形成手段」の一例）と、原稿読取装置３（本発明の「画像読取装置」の一例）とを備えている。図１、図２に示すように、原稿読取装置３は、上面に矩形状のプラテンガラス１１が設けられた読取装置本体１０と、そのプラテンガラス１１を覆うように配される自動原稿搬送装置（以下「ＡＤＦ６」という）とを備えて構成されている。後述するが、図２に示すように、原稿読取装置３は、上記操作キー１３とは反対側の後端部が画像形成ユニット２の上面後端側において回動可能に軸支されている。
【００２６】
操作キー１３の下側の位置には排紙トレイ２ａ（図３参照）に連なって開口した用紙取り出し孔７が形成されている。その用紙取り出し孔７の下側には水平方向に伸びるスリット状の開口した手差給紙口８が形成されており、更にその下側には、２つの給紙カセット９（９Ａ，９Ｂ）が２段に設けられている。
【００２７】
（画像形成ユニットの構成）
画像形成ユニット２の各構成について、図３を参照しつつ説明する。同図において紙面右側が複合機１の前方であり、紙面左側が複合機１の後方となる。
【００２８】
画像形成ユニット２のケーシング２０内には、用紙Ｐを給紙するためのフィーダ部２１や、給紙された用紙Ｐに所定の画像を形成するための画像形成部２２等が備わっている。また、画像形成部２２の上部には、画像形成部２２により画像形成され、排出された用紙Ｐを保持するために用いられる排紙トレイ２ａが配されている。
【００２９】
フィーダ部２１は、２つの給紙カセット９Ａ，９Ｂと、各給紙カセット９（９Ａ，９Ｂ）内に設けられた揺動可能な用紙押圧板（図示略）と、各給紙カセット９の前端側端部の上方に設けられる給紙ローラ２５などによって構成されている。
【００３０】
各給紙カセット９（９Ａ，９Ｂ）は、ケーシング２０内の下方側に配され、操作キー１３側の面からそれぞれ着脱（装着及び取り外し）可能に装着されており、この中に用紙Ｐが積層されて収納されるようになっており、給紙ローラ２５によって最上位の用紙Ｐが搬送経路を介してレジストローラ２９側に順次送られるようになっている。
【００３１】
レジストローラ２９は、１対のローラから構成されており、給紙ローラ２５の近傍に配置された図示しない位置センサによる検知タイミングに基づいて、駆動および停止の動作が制御装置（図示略）により制御される。そして、この制御により用紙Ｐの斜行が修正される。
【００３２】
画像形成部２２は、スキャナユニット４０、プロセスユニット４１、定着ユニット４２などを備えている。
【００３３】
図３に示すように、スキャナユニット４０は、ケーシング２０内の上部に設けられ、レーザ発光部（図示省略）、ポリゴンモータ４３により回転駆動されるポリゴンミラー４４、レンズ４５および４６、反射鏡４７および４８などを備えており、レーザ発光部から発光される所定の画像データに基づくレーザビームを、ポリゴンミラー４４、レンズ４５、反射鏡４７、レンズ４６、反射鏡４８の順に通過あるいは反射させて、後述するプロセスユニット４１における感光体ドラム５２の表面上に高速走査にて照射させている。
【００３４】
複合機１には、画像形成ユニット２の本体部に対して着脱可能なプロセスユニット４１が設けられている。
【００３５】
プロセスユニット４１は、ドラムカートリッジ５０と、現像カートリッジ５１とから構成されている。
【００３６】
プロセスユニット４１のうち、ドラムカートリッジ５０には、感光体ドラム５２、スコロトロン型帯電器５３、転写ローラ５４を備えている。また、現像カートリッジ５１には、現像ローラ５５、現像ローラ５５上に圧接される層厚規制ブレード５６、トナー供給ローラ５７およびトナーが充填されるトナーボックス５８などを備えている。
【００３７】
感光体ドラム５２は、現像ローラ５５の側方位置において、その現像ローラ５５と対向するような状態で時計方向に回転可能に配設されている。
【００３８】
スコロトロン型帯電器５３は、正帯電用のスコロトロン型の帯電器であり、感光体ドラム５２に接触しないように、所定の間隔を隔てて配設されている。
【００３９】
そして、感光体ドラム５２の表面は、その感光体ドラム５２の回転に伴って、まず、スコロトロン型帯電器５３により一様に正帯電された後、スキャナユニット４０からのレーザビームの高速走査により露光され、所定の画像データに基づく静電潜像が形成される。
【００４０】
次いで、現像ローラ５５の回転により、現像ローラ５５上に担持されかつ正帯電されているトナーが、感光体ドラム５２に対向して接触する時に、感光体ドラム５２の表面上に形成される静電潜像に供給される。
【００４１】
転写ローラ５４は、感光体ドラム５２の下方において、この感光体ドラム５２に対向するように配置され、ドラムカートリッジ５０に反時計方向に回転可能に支持されている。そして、感光体ドラム５２の表面上に担持された可視像は、用紙Ｐが感光体ドラム５２と転写ローラ５４との間を通る間に用紙Ｐに転写される。
【００４２】
定着ユニット４２は、プロセスユニット４１よりも用紙搬送方向下流側（後方側）に配設され、定着ユニット４２は転写された用紙Ｐ上のトナーを加熱溶融させるための加熱ローラ６３と、加熱ローラ６３に対向して配置され、給送される用紙Ｐを加熱ローラ６３に向けて押圧する押圧ローラ６４と、サーモスタット６５とを備えている。
【００４３】
加熱ローラ６３は、円筒状部材としての金属素管を備え、その軸方向に沿ってハロゲンランプが内装されている。このハロゲンランプにより、加熱ローラ６３の表面を、トナーが用紙Ｐに定着される定着温度（例えば、２００℃）まで加熱可能となっている。
【００４４】
押圧ローラ６４は、金属製のローラ軸と、この押圧ローラ軸の周りを被覆する、ゴム材料からなるゴムローラとを備えている。この押圧ローラのゴムローラにより、加熱ローラ６３の金属素管に弾性的に押圧され、加熱ローラ６３の回転に従動される。
【００４５】
サーモスタット６５は、例えばバイメタルからなり、加熱ローラ６３の温度を制御している。または、温度検知を行うサーミスタからなり、ハロゲンランプのオン／オフを行っても良い。
【００４６】
このような定着ユニット４２において、加熱ローラ６３は、プロセスユニット４１において用紙Ｐ上に転写されたトナーを、用紙Ｐが加熱ローラ６３と押圧ローラ６４との間を通過する間に加熱および加圧することにより定着させる。
【００４７】
さらに、加熱ローラ６３は、画像定着後の用紙Ｐを、ガイド部材６７，６８により形成される排紙パスを介して、排出ローラ６９まで搬送する。そして、排出ローラ６９は、送られてきた用紙Ｐを排紙トレイ２ａ上に排紙する。
【００４８】
（原稿読取装置の構成）
図１および図２に示すように、原稿読取装置３は、フラットベッド型のスキャナ装置（Flatbed Scanner：ＦＢＳ）として構成されており、読取装置本体１０と、読取装置本体１０の背面側の蝶番１５を介して開閉可能に取り付けられた原稿カバー５と、読取装置本体１０の上面の前方に配置された操作パネル４とを備えて大略構成されている。
【００４９】
操作パネル４は、各種操作キー１３（本発明の「起動時読取設定手段」および「待機時間設定手段」の一例）や液晶ディスプレイ（ＬＣＤ）１４（本発明の「起動時読取設定手段」および「待機時間設定手段」の一例）などを備えて構成されている。操作キー１３としては、例えば、読取開始指示を入力するためのスタートボタン、読み取りを中断させるストップボタン、テンキー、十字キーなどが配列されている。液晶ディスプレイ１４は、ファクシミリ機能、スキャナ機能、コピー機能など各機能における動作を行うための各種設定項目を表示したり、後述するドラフトコピーを設定するための画面を表示したりする。液晶ディスプレイ１４に表示された内容は、操作キー１３によって変更・決定される。原稿読取装置３では、操作パネル４から入力された種々の指令に従って、後述するＣＰＵ１０１によって所定の処理が実行される。
【００５０】
図２に示すように、読取装置本体１０の上面には、外部に露出するように配置されたプラテンガラス１１と、位置決め部材１２とが配設されている。読取装置本体１０に対して原稿カバー５が開けられることにより、プラテンガラス１１が露出される。また、原稿カバー５が閉じられることにより、プラテンガラス１１を含む読取装置本体１０の上面全体が覆われる。図１に示すように、原稿カバー５が閉じられた状態、すなわち、プラテンガラス１１が原稿カバー５によって覆われた状態で、原稿カバー５が原稿読取装置３の上部外装の一部をなす。
【００５１】
プラテンガラス１１は、原稿読取装置３がＦＢＳとして機能する場合に画像が読み取られる原稿（不図示）を載置するためのものであり、例えば無色透明なガラス板からなる。プラテンガラス１１の下方には、原稿読取装置３の奥行き方向を主走査方向とするＣＣＤユニット１８（本発明の画像読取手段の一例、図４および図５参照）が原稿読取装置３の奥行き方向と直交する方向（以下「副走査方向」と称す）へ移動可能に設けられている。ＣＣＤユニット１８がプラテンガラス１１上の原稿に対して副走査方向へ移動して露光しながら走査することにより、原稿の画像読取が行われる。
【００５２】
図２に示すように、プラテンガラス１１aは、読取装置本体１０の正面から見て左端部に設けられている。このプラテンガラス１１aは、原稿カバー５に設けられたＡＤＦ６によって原稿（不図示）を走査方向へ搬送させながら原稿の画像を読み取る際の原稿読取面を構成するものであり、例えば透明なガラス板からなる。プラテンガラス１１aは、ＣＣＤユニット１８の主走査方向の長さに対応して、原稿読取装置３の奥行き方向に延設されている。ＡＤＦ６を用いて原稿画像が読み取られる場合は、ＣＣＤユニット１８はプラテンガラス１１aの鉛直下方へ移動され、その位置に静止された状態で画像読取が行われる。
【００５３】
プラテンガラス１１とプラテンガラス１１aとの間には、位置決め部材１２が介設されている。位置決め部材１２は、プラテンガラス１１aと同様に原稿読取装置３の奥行き方向に延設された長尺の平板状の部材である。位置決め部材１２は、原稿載置面であるプラテンガラス１１上に原稿が載置される際に、原稿の位置決め基準として用いられる。そのため、位置決め部材１２の上面には、中央位置やＡ４サイズ、Ｂ５サイズ等の各種原稿サイズの両端位置を示す表示が記されている。また、位置決め部材１２の上面には、ＡＤＦ６によりプラテンガラス１１a上を通過する原稿をすくい上げてＡＤＦ６に戻すガイド面が形成されている（図４参照）。
【００５４】
プラテンガラス１１aの縁の原稿読取範囲外には、後述するシェーディング補正用の白色基準板７１が走査方向に延設されている。白色基準板７１は、表面の明るさがどの部分においても等しくなるように形成されている。ＣＣＤユニット１８は、当該白色基準板７１に光を照射し、白色基準板７１からの反射光に基づき、シェーディング補正が行われる。
【００５５】
図４に示すように、読取装置本体１０の内部には、読取装置本体１０の幅方向、即ち、図４において紙面の左右方向に渡ってガイドシャフト１９が架設されている。ガイドシャフト１９はプラテンガラス１１に対して平行に架設されている。ガイドシャフト１９は、ＣＣＤユニット１８の内部を貫通している。ＣＣＤユニット１８は図示しないブッシュを介してガイドシャフト１９に摺動可能に支持されている。これにより、ＣＣＤユニット１８はガイドシャフト１９に沿って副走査方向にスライド移動可能となっている。
【００５６】
ＣＣＤユニット１８は、原稿へ光を照射し、原稿からの反射光を電気信号（アナログ信号）に変換して画像読み取りを行う読取デバイスであり、図４および図５に示すように、略直方体状の筐体８１、冷陰極管８２（本発明の「光照射手段」の一例）、反射ミラー８３、集光レンズ８４、ＣＣＤイメージセンサ８５（本発明の「光電変換手段」の一例）、とを一体に備えてなる。
【００５７】
図５に示すように、筐体８１の上面には冷陰極管８２が原稿読取装置３の奥行き方向（図５の紙面に垂直な方向）に渡って設けられている。冷陰極管８２は、ガラス管（ガラスバルブ）の内側に蛍光体を塗布した低圧水銀ランプであり、電極に高電圧をかけることによってガラス管内の電子を高速移動させることで放電し、発光する。
【００５８】
図５に示すように、筐体８１内には、反射ミラー８３、集光レンズ８４及びＣＣＤイメージセンサ８５が配設されている。筐体８１には冷陰極管８２に沿って開口８６が穿設されており、冷陰極管８２から原稿に発せられ原稿に反射された反射光が、開口８６から筐体８１内に進入するようになっている。図５に反射光の光路を破線で示す。筐体８１内に進入した反射光は、適宜配設された反射ミラー８３により順次反射されて集光レンズ８４へ導かれる。このような反射ミラー８３の配置はＣＣＤイメージセンサ８５に反射光を結像するために必要な光路長により適宜設定される。集光レンズ８４に導かれた反射光はＣＣＤイメージセンサ８５に結像されて、ＣＣＤイメージセンサ８５によりアナログの電気信号に変換される。この変換された電気信号は後述する画像処理部１０８（図６および図７参照）によって所定の画像処理がなされることによりイメージデータに変換される。上記イメージデータは後述するＲＡＭ１０３に記憶される。
【００５９】
また、図４に示すように、読取装置本体１０の内部には、ＣＣＤユニット１８に動力を与えて該ＣＣＤユニット１８をスライド移動させるベルト駆動機構３０が配設されている。ベルト駆動機構３０は、読取装置本体１０の副走査方向の一端にモータ軸を装置の奥行き方向（図４の紙面に垂直な方向）にして配置されるＤＣモータ３１と、上記モータ軸に取り付けられるプーリ３２と、読取装置本体１０の副走査方向の一端であってＤＣモータ３１の配置位置とは反対側に配置されたプーリ３３と、これらのプーリ３２，３３間に懸架された無端ベルト３４とを備えて構成される。無端ベルト３４の上側ベルト３４ａはＣＣＤユニット１８の内部を貫通しており、ＣＣＤユニット１８内において上側ベルト３４ａが図示しない把持部によって把持されている。従って、ＤＣモータ３１が駆動され、無端ベルト３４が一方向に移動すると、ＣＣＤユニット１８もその移動方向に向かってガイドシャフト１９に沿って移動される。なお、ＤＣモータ３１の回転方向が制御されることにより、ＣＣＤユニット１８が副走査方向に往復移動される。
【００６０】
図１及び図４に示すように、原稿カバー５には、ＡＤＦ６が搭載されている。ＡＤＦ６は、原稿の読取面を上にして載置する原稿トレイ３７と、原稿トレイ３７の下方に配置され、読み取り終了後の原稿を読取面を下にして積載する原稿排紙トレイ３８と、これら原稿トレイ３７と原稿排紙トレイ３８との間にＵターン状に形成される搬送路３９とを備えている。
【００６１】
搬送路３９には、原稿を搬送するための搬送手段が配設されている。この搬送手段は、図４に示すように、吸入ローラ９０、分離ローラ９１、搬送ローラ９２、及び排紙ローラ９３と、吸入ローラ９０及び分離ローラ９１に圧接する吸入ガイド９４と、搬送ローラ９２に圧接するピンチローラ９５，９６と、排紙ローラに圧接するピンチローラ９７とによって構成されている。
【００６２】
原稿トレイ３７には、原稿が載置される面に光学式の原稿センサ９８が設けられている。原稿センサ９８は、原稿トレイ３７に原稿が載置されたかどうかを検出するためのものであり、例えば、ＬＥＤなどの発光部とフォトトランジスタなどの受光部とが一体化された反射型のフォトインタラプタなどが該当する。
【００６３】
原稿トレイ３７に積載された原稿は、吸入ローラ９０により繰り出され、分離ローラ９１によって一枚ずつ分離されることにより、搬送路３９の下流側へ送給される。搬送路３９に送給された原稿は分離ローラ９１より下流側に配置された搬送ローラ９２によって最下位置の画像読取領域であるプラテンガラス１１a（図２参照）へ搬送される。そして、搬送された原稿がプラテンガラス１１aの下方に待機されたＣＣＤユニット１８により順次読み取られる。読み取られた原稿は排紙ローラ９３によって読み取られた面を下にして原稿排紙トレイ３８に排出される。
【００６４】
（制御部の構成）
次に、図６および図７のブロック図を用いて、本原稿読取装置３の動作を制御する制御部１００について説明する。図６は、原稿読取装置３の動作を制御する制御部１００についてのブロック図であり、図７は、ＣＣＤイメージセンサ８５により変換された電気信号に所定の画像処理をなすことによりイメージデータに変換する画像処理部１０８についてのブロック図である。制御部１００は、ＣＰＵ１０１（本発明の「光量算出手段」、「補正値算出手段」および「γ補正手段」の一例）、ＲＯＭ１０２、ＲＡＭ１０３、ＥＥＰＲＯＭ１０４、点灯時間カウンタ１０５（本発明の「計時手段」の一例）、画像処理部１０８、モータドライバ１０９、パネルゲートアレイ（パネルＧＡ）１１０、液晶コントローラ１１１、駆動回路１１２等の制御デバイスから構成されており、それぞれがバス１１４を介して電気的に接続されている。また、制御部１００は、画像形成部２２の動作を制御する制御部２００と電気的に接続されており、原稿読取装置３によって原稿から読み取られた画像を送信したりする。なお、バス１１４にはアドレスバス、データバス、制御信号線が含まれる。
【００６５】
ＲＯＭ１０２には、図１１に示すような後述するγ補正テーブル（本発明の「補正値算出手段」の一例）、図１３に示すような冷陰極管８２の光源を立ち上げてからの経過時間ｔ（sec）と冷陰極管８２の出力光量Ｌ（％）とを対応させてテーブル化した図１４参照に示すような光量補正テーブル（本発明の「光量算出手段」の一例）や、原稿読取装置３の各種動作を制御するためのプログラム等が格納されている。一方、ＲＡＭ１０３は、ＣＰＵ１０１が上記プログラムを実行する際に用いる各種データやＣＣＤユニット１８により読み取られた画像データを一時的に記憶する記憶領域又はＣＰＵ１０１の作業領域として用いられる。
【００６６】
ＣＰＵ１０１は、制御部１００を構成する制御デバイスや、制御部１００によって制御される被制御機器などを統括的に制御するものである。ＣＰＵ１０１に一体的に実装されている汎用レジスタには、点灯時間カウンタ１０５でカウントされるカウンタ設定値等の各種設定値が記憶されている。本実施形態では、ＣＰＵ１０１によって、ＲＯＭ１０２、ＲＡＭ１０３、ＥＥＰＲＯＭ１０４に格納されたデータやプログラムが読み出され、上記プログラムに従った演算処理が行われることにより、後述する図１６のフローチャートに示す手順で電源投入直後の複合機１による原稿の読取処理が実行される。
【００６７】
画像処理部１０８は、ＣＣＤユニット１８によって読み取られ出力された原稿の画像を表す電気信号に対して種々の画像処理を実行するものであり、シェーディング補正、γ（ガンマ）補正等の補正処理が画像処理部１０８で行われる。各種画像処理が行われたイメージデータはＣＰＵ１０１によってＲＡＭ１０３に転送され、該ＲＡＭ１０３に一時的に記憶される。そして、ＲＡＭ１０３に記憶されたイメージデータは、制御部２００へ送出され、画像形成部２２によって用紙に印刷（コピー）される。
【００６８】
＜画像処理部の構成＞
ＣＣＤユニット１８によって読み取られた画像データに対して補正処理を行う画像処理部１０８の詳細な構成について、図７〜図１２を参照して説明する。図８は、冷陰極管８２から原稿へ発光される光の光量の原稿走査方向における光学的な歪みを示す図である。図９は、白色基準板７１の走査方向に対する、ＣＣＤイメージセンサ８５から出力された電気信号をシェーディング補正したときの補正後の値（２５６段階）の関係を表すグラフである。図１０は、ＣＣＤイメージセンサ８５に入力される原稿からの反射光の入力値Ｅ（２５６段階）と、ＣＣＤイメージセンサ８５から出力される出力値Ｄ（２５６段階）との関係を表すグラフである。図１１は、ＣＣＤイメージセンサ８５から出力される出力値Ｄ（２５６段階）と、出力値Ｄをγ補正部１２４で補正するときの補正値Ｒ（２５６段階）との対応関係を示すγ補正テーブルである。図１２は、γ補正テーブルの対応関係をグラフ化した図である。図１３は、冷陰極管８２の光源を立ち上げてからの経過時間ｔ（sec）と冷陰極管８２の出力光量Ｌ（％）との関係を表すグラフである。図１４は、冷陰極管８２の光源を立ち上げてからの経過時間ｔ（sec）と冷陰極管８２の出力光量Ｌ（％）とを対応させてテーブル化した光量補正テーブルである。
【００６９】
アンプ１２１は、ＣＣＤユニット１８によって原稿から読み取られＣＣＤイメージセンサ８５から出力されたアナログ信号としての画像信号を一定レベルまで増幅する。
【００７０】
Ａ／Ｄ変換部１２２（本発明の「Ａ／Ｄ変換手段」の一例）は、アンプ１２１によって増幅された画像信号を、８ビット（２５６段階）のデジタル信号としての画像信号に変換する。
【００７１】
シェーディング補正部１２３は、冷陰極管８２（図５参照）の光学的な歪みを補正するために設けられている。光学的な歪みとは、図８に示すように、例陰極管８２から発光され白色基準板７１に反射された光がＣＣＤイメージセンサ８５に入力され、ＣＣＤイメージセンサ８５から出力されたとき、走査方向両端部の出力値Ｄが、走査方向中央部の出力値よりも少なくなることである。これは、冷陰極管８２から発光された光は拡散する特性があり、冷陰極管８２の副走査方向両端部から発光された光の一部は、白色基準板７１に照射されないことに起因している。したがって、ＣＣＤユニット１８によって読み取られた電気信号がシェーディング補正部１２３でシェーディング補正を行われずに画像形成部２２に送出されると、画像形成部２２によって用紙Ｐに形成された画像の走査方向両端部は、読み取りに用いられた原稿の走査方向両端部の画像の明るさよりも暗くなってしまう。そこで、シェーディング補正部１２３は、ＣＣＤユニット１８によって読み取られＲＡＭ１０３に格納された白色基準板７１の明るさの信号に基づいて、ＣＣＤユニット１８からの出力値Ｄを補正し、走査方向の補正値が略一定となるような処理を行う（図９参照）。
【００７２】
γ補正部１２４（本発明の「γ補正手段」の一例）は、ＣＣＤイメージセンサ８５を構成する各構成要素の特性（設計値等）による原稿の画像の明暗と、原稿の画像を読み取って形成された画像の明暗と、のずれを補正するために設けられている。原稿の画像の明暗を原稿の画像を読み取って形成された画像に正確に再現する場合、ＣＣＤイメージセンサ８５へ入力される原稿からの反射光の入力値ＥとＣＣＤユニット１８から画像処理部１０８へ出力される出力値Ｄとの理想の関係は、図１０の点線で示すように、１：１の関係（Ｄ＝Ｅ）であるが、実際は、図１０の実線で示すように、Ｄ＝（Ｅ／２５５）α×２５５（α＞０）の関係となり直線ではない。したがって、出力値Ｄがγ補正を行われずにそのまま画像形成部２２に送出されると、画像形成部２２によって用紙に形成された画像は、読み取りに用いられた原稿における画像の明るさよりも全体的に暗くなってしまう。そこで、γ補正部１２４は、図１１に示すように、ＲＯＭ１０２に格納されたγ補正テーブルに基づいて、ＣＣＤユニット１８からの出力値Ｄを補正値Ｒで補正し（図１２参照）、入力値Ｅと出力値Ｄとの関係が１：１に近づくような処理を行う（図１０の点線参照）。
【００７３】
尚、ＣＣＤユニット１８の冷陰極管８２の出力光量が最大（１００％）である場合、出力値Ｄと補正値Ｒとの関係式は、数式１の関数で表される。ＲＯＭ１０２に格納されたγ補正テーブル（図１１参照）は、出力値Ｄが８ビット（２５６段階）の信号であり、α値が２．０である場合に、数式１の関数に基づいて作成されたテーブルである。ここでα値とは、読み取った画像を明るく補正するか、暗く補正するか、によって、異なる値である。α＝１であれば、数式１の関数よりＲ＝Ｄであり、入力値Ｅと出力値Ｄとの関係が１：１で出力値Ｄを補正する必要がない。α＞１であれば、読み取った画像が明るくなるように数式１の関数より出力値Ｄを補正する。α＜１であれば、読み取った画像が暗くなるように数式１の関数より出力値Ｄを補正する。したがって、本実施形態では、α＝２．０としたが、α値は適宜変更される。
【００７４】
【数１】
2007214829.tif 000003
【００７５】
また、図１３に示すように、冷陰極管８２の光源を立ち上げてからの経過時間（点灯時間）ｔが短く（たとえば、ｔ＝ｔ１）、ＣＣＤユニット１８の例陰極管８２の出力光量Ｌが１００％でない場合、ＣＣＤユニット１８へ入力される原稿からの反射光の入力値Ｅが減少し、当然ＣＣＤユニット１８から画像処理部１０８へ出力される出力値Ｄも異なってくるので、γ補正部１２４では、ＲＯＭ１０２に格納されている光量補正テーブル（図１４参照）を用いて、γ補正のみならず、出力光量Ｌの変化に応じた補正も行われている。
【００７６】
たとえば、本来出力光量が１００％であるときは、Ｅ＝２５５で入力される反射光を反射した部分が最も明るかったが、この部分に出力光量４０％の光が照射されると、反射光の光量も４０％になるので、Ｅ＝２５５×０．４＝１０２という入力値が最大となる。即ち、出力光量が４０％であるときの入力値Ｅは、出力光量が１００％であるときの入力値Ｅの４０％の値となる。したがって、出力光量が４０％であるときの出力値Ｄも、出力光量が１００％であるときの出力値Ｄの４０％の値となるので、本来原稿における画像の明暗を正確に再現するために、ガンマ補正部１２４で出力値Ｄを２．５倍し、補正する処理を行う。
【００７７】
このように、γ補正と出力光量の変化に応じた補正とを行うとき、出力値Ｄと補正値Ｒ'との関係式は、出力値Ｄが８ビット（２５６段階）の信号、α値が２．０、出力光量がＬ（％）である場合に、数式２の関数(本発明の「補正値算出手段」の一例)で表される。
【００７８】
【数２】
2007214829.tif 000004
【００７９】
尚、出力光量が最大の１００％であるときは、原稿における画像の明暗を８ビットであれば２５６段階で表すことができたが、出力光量が１００％に満たないときは、２５６段階で表すことができない。たとえば、出力光量が４０％であるときは、画像の明暗は、１０３段階で表されることになる。よって、原稿の画像を読み取るときの出力光量が少ないほど、印刷した画像は粗い画像となる。
【００８０】
また、この数式２の関数は、本発明の技術思想を説明するために簡略した式を記載したが、実際の冷陰極管２とＣＣＤイメージセンサ８５の特性に応じた関数、および、その逆関数を用いれば良い。また、標準的な冷陰極管８２とＣＣＤセンサ８５の特性を測定し、その近似関数を用いても良い。
【００８１】
モータドライバ１０９は、ベルト駆動機構３０のＤＣモータ３１を駆動させるものである。モータドライバ１０９は、ＣＰＵ１０１からの出力信号を受けて、ＤＣモータ３１を回転させるための電気信号を生成する。電気信号を受けたＤＣモータ３１が回転すると、その回転力がプーリ３２，３３および無端ベルト３４を介してＣＣＤユニット１８のプーリ２６に伝達される。これによりＣＣＤユニット１８が移動される。
【００８２】
パネルゲートアレイ（パネルＧＡ）１１０は、原稿読取装置３の操作パネル４に配設されたスタートボタンやストップボタンなどの各種の操作キー１３からの入力を受け付けるためのインターフェースとして機能すると共に、操作キー１３を制御するものである。パネルゲートアレイ１１０は、操作キー１３の押下を検出して、所定のコード信号を出力する。それぞれの操作キー１３にはキーコードが割り当てられている。ＣＰＵ１０１は、パネルゲートアレイ１１０から出力された所定のキーコードを示すコード信号を受信すると、所定のキー処理テーブルに従って実行すべき制御処理を行う。キー処理テーブルは、キーコードと制御処理とを対応させてテーブル化したものであり、例えば、ＲＯＭ１０２に記憶されている。
【００８３】
液晶コントローラ１１１は液晶ディスプレイ１４と接続されている。液晶コントローラ１１１は液晶ディスプレイ１４の画面表示を制御するものである。液晶コントローラ１１１は、ＣＰＵ１０１の指令に基づいて、液晶ディスプレイ１４に原稿読取装置３の動作情報や設定情報、エラー情報、案内情報などを画面表示させる。
【００８４】
点灯時間カウンタ１０５は、ＣＰＵ１０１から出力された指令を受けて時間のカウントを開始する計時装置である。点灯時間カウンタ１０５は、冷陰極管８２の光源が立ち上げられてからの経過時間を計時するために用いられる。点灯時間カウンタ１０５により計時された時間は点灯時間カウンタ１０５の内部メモリに記録される。ＣＰＵ１０１は、レジスタに記憶されたタイマの設定値と上記内部メモリ内の時間とを比較することにより、所定の時間が経過したか否かを判断する。なお、ＣＰＵ１０１から点灯時間カウンタ１０５にリセット信号が出力されると、点灯時間カウンタ１０５の内部メモリが初期化（リセット）される。
【００８５】
駆動回路１１２は、ＣＰＵ１０１から出力される制御信号の信号レベルに応じて冷陰極管８２に駆動電圧を供給する電源回路である。
【００８６】
（ドラフトコピー設定処理）
ドラフトコピー設定処理について、図１５を参照して説明する。図１５は、ドラフトコピーの設定を行うための液晶ディスプレイ１４の表示画面を示す図である。
【００８７】
前述したように、出力光量が最大の１００％であるときは、原稿における画像の明暗を、８ビットであれば２５６段階で表すことができる。しかしながら、出力光量が１００％に満たないときは、２５６段階で表すことができないので、原稿の画像を読み取るときの冷陰極管８２の出力光量が少ないほど、印刷した画像は粗い画像となる。つまり、冷陰極管８２の光源を立ち上げてからの経過時間（点灯時間）ｔが短いほど、複合機１の主電源投入後初めに読み取った画質は粗くなる。
【００８８】
そこで、図１５に示すように、複合機１の液晶ディスプレイ１４に表示されたＯＫ／ＣＡＮＣＥＬを操作キー１３などでドラフトコピーを設定することにより、主電源投入時のコピー（読取動作）において、高画質が補償されない出力光量で原稿の読み取りを行うことをユーザに承諾してもらうトリガーとすることができる。このように、ドラフトコピーを設定できるようにすれば、読み取った画像が高画質を補償されていなくても構わないユーザにとっては、よりドラフトコピーの時間（点灯時間）ｔを短縮することができる。
【００８９】
（読取処理）
次に、電源投入直後の複合機１による原稿の読取処理について、図１６を参照して説明する。図１６は、電源投入直後の複合機１により、プラテンガラス１１に載置された原稿を読み取る読取処理を示すフローチャートである。
【００９０】
まず、複合機１の主電源が投入されると（Ｓ１）、冷陰極管８２が点灯するとともに、点灯時間カウンタ１０５がカウントを開始する（Ｓ２）。点灯時間カウンタ１０５によるカウント開始後、ユーザにより操作キー１３の読取スタートキーが押下されたか否かが判定される（Ｓ３）。読取スタートキーが押下されたと判定されると（Ｓ３：Ｙｅｓ）、ＣＣＤユニット１８により白色基準板７１が読み取られ、画像処理部１０８のシェーディング補正部１２３によりシェーディング補正が行われる（Ｓ４）。シェーディング補正後、ドラフトコピーの設定（図１５参照）がなされているか否かが判定される（Ｓ５）。ドラフトコピーの設定がなされていると判定されると（Ｓ５：Ｙｅｓ）、ドラフトコピーによる動作が開始され（Ｓ６）、ＲＯＭ１０２に格納されている光量補正テーブル（図１４参照）と、γ補正テーブル（図１１参照）が読み出される（Ｓ７）。γ補正部１２４では、点灯時間カウンタ１０５のカウンタ値ｔと読み出された光量補正テーブルを基に、冷陰極管８２の点灯開始からｔだけ経過したときの出力光量Ｌ（％）が決定される（Ｓ８）。出力光量Ｌが決定されると、γ補正部１２４では、決定された出力光量Ｌと数式２とを基に、読み出されたγ補正テーブルが変換され、変換されたγ補正テーブルにて、原稿の読み取りを開始し、γ補正が行われる（Ｓ９）。そして、ＣＣＤユニット１８による原稿の読み取りが終了すると（Ｓ１０：Ｙｅｓ）、各種画像処理が行われたイメージデータはＣＰＵ１０１によってＲＡＭ１０３に転送され、該ＲＡＭ１０３に一時的に記憶される。そして、ＲＡＭ１０３に記憶されたイメージデータは、制御部２００へ送出され、画像形成部２２によって用紙Ｐに画像形成され（Ｓ１１）、本処理が終了する。原稿の読み取りが終了していないと（Ｓ１０：Ｎｏ）、読み取りが終了するまで、冷陰極管８２の点灯開始後の経過時間ｔに伴いγ補正テーブルが変更され、変更されたγ補正テーブルにて原稿の読み取りが継続される（Ｓ１２）。
【００９１】
一方、Ｓ５におけるドラフトコピーの設定がなされているか否かが判定される判定処理で、ドラフトコピーの設定がなされておらず、一定レベルに達している冷陰極管８２の光量で読取動作を行う通常コピー（読取）を行うと判定されると（Ｓ５：Ｎｏ）、点灯時間カウンタ１０５のカウンタ値ｔが、ｔ１（待機時間）より大きいか否かが判定される（Ｓ１３）。冷陰極管８２の点灯開始後、時間ｔ１が経過するまで通常コピーによる動作は待機させられ（Ｓ１３：Ｎｏ）、点灯時間カウンタ１０５のカウンタ値ｔがｔ１より大きいと判定されると（Ｓ１３：Ｙｅｓ）、通常コピーによる動作が開始され（Ｓ１４）、Ｓ７以降のγ補正を伴う原稿の読み取りが行われる。
【００９２】
以上に説明したように、本実施形態の読取処理を行うと、以下の効果を奏する。
【００９３】
（１）複合機１の主電源投入直後において、冷陰極管８２が十分に立ち上がっておらず、出力光量が変化し、最大光量に達していないような状況下でも、読み取った画像の品質を落とし難く、ドラフトコピーの時間を短縮することができる。
【００９４】
（２）ＲＯＭ１０２に格納された光量補正テーブルとγ補正テーブルに基づき、より精度よく補正を行うことができ、読み取った画像の品質を落とし難く、光照射手段による原稿への光の照射を開始する時間を短縮ことができる。
【００９５】
（３）数式２の関数により、ＲＯＭ１０２に格納された光量最大（１００％）時のγ補正テーブルの補正値Ｄを変換することができるので、ＲＯＭ１０２の使用領域を少なくすることができる。
【００９６】
（４）ドラフトコピーを設定できるので、主電源投入時のコピー（読取動作）において、高画質が補償されない出力光量で原稿の読み取りを行うことをユーザに承諾してもらうトリガーとすることができる。
【００９７】
〔変形例〕
以上、上記実施形態に基づき本発明を説明したが、本発明は上記実施形態に何ら限定されるものではなく、その技術的思想を逸脱しない範囲内で種々の改良変形が可能である。
【００９８】
（１）上記実施形態では、出力光量が１００％のときのγ補正テーブルおよび数式２を基に、出力光量がＬのときのγ補正テーブルを作成していたが、たとえば、出力光量１％刻みで対応する複数のγ補正テーブルをＲＯＭ１０２に予め格納しておいても良い。
【００９９】
尚、上記実施形態では、複合機１の電源オン後、冷陰極管８２の光源をオンするようにしたが、原稿カバー５の開閉による原稿セットの検知または、原稿トレイ３７への原稿セットを原稿センサ９８により検知し、原稿セットを検知すると、冷陰極管８２の光源をオンしても良い。
【０１００】
（２）上記実施形態では、γ補正部１２４は、ＣＣＤイメージセンサ８５を構成する各構成要素の特性（設計値等）による原稿の画像の明暗と原稿の画像を読み取って形成された画像の明暗とのずれや、最大出力光量に到達していない冷陰極管８２による原稿の読み取りを補正するものであり、複合機１の周囲の温度変化によるずれは考慮しなかったが、温度変化によるずれも考慮して補正しても良い。
【０１０１】
たとえば、複合機１を使用する周囲の温度範囲が１℃〜４０℃として、温度が１℃変化する毎に変更される、図１４に示すようなγ補正テーブルを４０個ＲＯＭ１０２に記憶しておく。そして、図１６のフローチャートに示すＳ７のテーブル読み出し時に、図示しない温度検出器で測定した温度を基に、４０個の中から１つのγ補正テーブルを読み出せば良い。
【０１０２】
このように温度変化によるずれも考慮すれば、より精度よく補正を行うことができ、読み取った画像の品質を落とし難くすることができる。
【０１０３】
（３）上記実施形態では、ファーストコピー時の読取処理において、原稿はプラテンガラス１１に載置され読み取りが行われていたが、ＡＤＦ６によって原稿を自動搬送するファーストコピーにおいても、本発明を適用することができる。
【０１０４】
（４）上記実施形態では、ＲＯＭ１０２に格納された光量補正テーブルおよびγ補正テーブルと、数式２の関数と、を用いて補正を行ったが、経過時間ｔによって光量Ｌを決定する関数Ｌ（ｔ）（本発明の「光量算出手段」の一例）および出力値Ｄによって補正値Ｒ'を決定する数式３のような関数（本発明の「補正値算出手段」の一例）のみを用いて補正を行っても良い。
【０１０５】
【数３】
2007214829.tif 000005
【０１０６】
このような補正処理の場合、点灯時間カウンタ１０５によってカウントされた経過時間（点灯時間）ｔと、ＣＣＤユニット１８から画像処理部１０８へ出力される出力値Ｄとを数式３の関数に代入して算出された補正値Ｒ'にて読取動作を行うステップが、図１６に示すＳ７〜Ｓ９、あるいは、Ｓ１２のステップに代わり、実行される。
【０１０７】
したがって、光量補正テーブルやγ補正テーブルをＲＯＭ１０２に格納しておく必要がないので、ＲＯＭ１０２の使用領域を少なくすることができる。
【０１０８】
尚、この数式３の関数においても、本発明の技術思想を説明するために簡略した式を記載したが、実際の冷陰極管２とＣＣＤイメージセンサ８５の特性に応じた関数、および、その逆関数を用いれば良い。また、標準的な冷陰極管８２とＣＣＤセンサ８５の特性を測定し、その近似関数を用いても良い。
【０１０９】
（５）ドラフトコピーを設定していない場合、点灯時間カウンタ１０５によりカウントを開始してから一定レベルの光量で読取動作を行う通常コピーを開始するまでの時間（待機時間）ｔ１（図１６参照）を設定できるようにしても良い。たとえば、図１７に示すように、液晶ディスプレイ１４に最低出力光量での通常コピーにおける画質（最低補償画質）とこれらの画質に対応させた待機時間ｔ１とを視覚的に４段階で表示し、これらの画質表示に対応させて待機時間ｔ１を表示し、操作キー１３などでいずれかの表示を選択できるようにする。このようにすれば、待機時間ｔ１を長く設定すれば、高品質の通常の読取動作を補償することができ、待機時間を短く設定すれば、通常の読取動作を開始させる時間も短縮することができる。
【０１１０】
（６）上記実施形態では、ファーストコピー時において、本発明を適用したが、原稿の画像を読み取る動作を行うＦＡＸ、Scan to E-mailなどの機能にも適用することができる。
【図面の簡単な説明】
【０１１１】
【図１】複合機１の外観を示す斜視図である。
【図２】原稿読取装置３を開けた状態を示す複合機１の斜視図である。
【図３】複合機１を給紙ローラ２５等の軸方向から見た要部側断面図である。
【図４】原稿読取装置３の縦断面構造の模式図である。
【図５】図４に示す方向から見たＣＣＤユニット１８の内部構成の概略を示す模式図である。
【図６】原稿読取装置３の動作を制御する制御部１００についてのブロック図である。
【図７】ＣＣＤイメージセンサ８５により変換された電気信号に所定の画像処理をなすことによりイメージデータに変換する画像処理部１０８についてのブロック図である。
【図８】冷陰極管８２から原稿へ発光される光の光量の原稿走査方向における光学的な歪みを示す図である。
【図９】白色基準板７１の走査方向に対する、ＣＣＤイメージセンサ８５から出力された電気信号をシェーディング補正したときの補正後の値（２５６段階）の関係を表すグラフである。
【図１０】ＣＣＤイメージセンサ８５に入力される原稿からの反射光の入力値Ｅ（２５６段階）と、ＣＣＤイメージセンサ８５から出力される出力値Ｄ（２５６段階）との関係を表すグラフである。
【図１１】ＣＣＤイメージセンサ８５から出力される出力値Ｄ（２５６段階）と、出力値Ｄをγ補正部１２４で補正するときの補正値Ｒ（２５６段階）との対応関係を示すγ補正テーブルである。
【図１２】γ補正テーブルの対応関係をグラフ化した図である。
【図１３】冷陰極管８２の光源を立ち上げてからの経過時間ｔ（sec）と冷陰極管８２の出力光量Ｌ（％）との関係を表すグラフである。
【図１４】冷陰極管８２の光源を立ち上げてからの経過時間ｔ（sec）と冷陰極管８２の出力光量Ｌ（％）とを対応させてテーブル化した光量補正テーブルである。
【図１５】ドラフトコピーの設定を行うための液晶ディスプレイ１４の表示画面を示す図である。
【図１６】電源投入直後の複合機１により、プラテンガラス１１に載置された原稿を読み取る読取処理を示すフローチャートである。
【図１７】液晶ディスプレイ１４に最低出力光量での通常コピーにおける画質とこれらの画質に対応させた待機時間ｔ１とを視覚的に４段階で表示した図である。
【符号の説明】
【０１１２】
１  複合機（画像形成装置）
２  画像形成ユニット（画像形成手段）
３  原稿読取装置（画像読取装置）
６  ＡＤＦ
１１，１１a  プラテンガラス
１３  操作キー（起動時読取設定手段および待機時間設定手段）
１４  液晶ディスプレイ（起動時読取設定手段および待機時間設定手段）
１８  ＣＣＤユニット
７１  白色基準板
８２  冷陰極管（光照射手段）
８５  ＣＣＤイメージセンサ（光電変換手段）
１００，２００  制御部
１０１  ＣＰＵ（光量算出手段、補正値算出手段およびγ補正手段）
１０２  ＲＯＭ
１０３  ＲＡＭ
１０５  点灯時間カウンタ（計時手段）
１０８  画像処理部
１２２  Ａ／Ｄ変換部（Ａ／Ｄ変換手段）
１２３  シェーディング補正部
１２４  γ補正部（γ補正手段）
【図１】
2007214829.tif 000006
【図２】
2007214829.tif 000007
【図３】
2007214829.tif 000008
【図４】
2007214829.tif 000009
【図５】
2007214829.tif 000010
【図６】
2007214829.tif 000011
【図７】
2007214829.tif 000012
【図８】
2007214829.tif 000013
【図９】
2007214829.tif 000014
【図１０】
2007214829.tif 000015
【図１１】
2007214829.tif 000016
【図１２】
2007214829.tif 000017
【図１３】
2007214829.tif 000018
【図１４】
2007214829.tif 000019
【図１５】
2007214829.tif 000020
【図１６】
2007214829.tif 000021
【図１７】
2007214829.tif 000022